(57)【要約】　　　（修正有）【課題】体外循環用血液回路のルアーコネクタと体外循環体液処理器の接続口（ルアーノズル）の着脱作業が、小さな力で、簡便かつ確実に行うことができるレンチを提供する。【解決手段】本考案に係るルアーコネクタ用レンチ１は、管部材を案内する筒体５４と、前記筒体の一端に形成されたネジ部と、前記筒体の側面に対称に二つ設けられた翼状部５６，５７とを備えたルアーコネクタを着脱するためのレンチであって、第一翼状部５６に係止されるフック部２と、第二翼状部５７に当接する当接部４と、前記フック部と当接部とを前記筒体を迂回して連結するアーム部３と、前記アーム部に連結された把持部５とを備えたことを特徴とする。【選択図】　　図２
0003098546.tif 000002
【実用新案登録請求の範囲】
【請求項１】
管部材を案内する筒体と、前記筒体の一端に形成されたネジ部と、前記筒体の側面に対称に二つ設けられた翼状部とを備えたルアーコネクタを着脱するためのレンチであって、
第一翼状部に係止されるフック部と、
第二翼状部に当接する当接部と、
前記フック部と当接部とを前記筒体を迂回して連結するアーム部と、
前記アーム部に連結された把持部とを備えたことを特徴とするルアーコネクタ用レンチ。
【請求項２】
前記アーム部は湾曲したアーチ状であって、
前記アーム部の一端に前記フック部を備え、
前記アーム部の他端に前記当接部を備え、
該アーム部の他端にさらに前記把持部を連結したことを特徴とする請求項１記載のルアーコネクタ用レンチ。
【請求項３】
平板状であることを特徴とする請求項１記載のルアーコネクタ用レンチ。
【請求項４】
金属または硬質プラスチックより形成したことを特徴とする請求項１記載のルアーコネクタ用レンチ。
【考案の詳細な説明】
【０００１】
【考案の属する技術分野】
本考案は体外循環用血液回路に使用されるルアロックルアーコネクタを体外循環体液処理器に着脱するためのレンチに関する。特にルアーコネクタを体外循環体液処理器に接続するとき、簡便かつ確実に着脱することができるレンチに関するものである。
【０００２】
【従来の技術】
近年、医療技術の発達により腎不全患者に対する血液透析療法、肝疾患患者や自己免疫疾患患者、高コレステロール血漿患者らに対する血漿交換療法、二重濾過プラズマフェレーシス療法、吸着療法などの体外循環血液浄化療法が発達してきた。
【０００３】
従来、体外循環用血液回路を透析機、血漿分離器、血漿分画器、吸着器などの体外循環体液処理器に接続する場合、血液チューブを体外循環体液処理器のノズルにはめ込む方法が採られていた。近年になり、体外循環中に血液漏れが発生して医療事故が発生しないように、この接続方法をやめ、ルアーコネクタによる接続方法が採用されるようになってきた。すなわち、血液回路側の接続部分に雄ネジ、体液処理器のノズル側に雌ネジを設け、ねじ込みによる確実な接続方法が採用されるようになってきた。
【０００４】
図４を用いて、従来のルアーコネクタによる接続構成について説明する。体液処理器５０（体外循環体液処理器）の閉塞蓋５１は、接続口５１ａの内部に雌ネジ５１ｂを設けている。一方、体液処理器５０に血液を供給するチューブ５２（体外循環用血液回路の管部材）の先端には、ルアーコネクタ５３が接着により取り付けられている。ルアーコネクタ５３は、チューブ５２を案内する筒体５４と、筒体５４の一端に形成された雄ネジ５５（ネジ部）と、筒体５４の側面に対称に二つ設けられた翼状部５６、５７とを備えている。
【０００５】
上記ルアーコネクタ５３による接続構成により、接続部分の外れ防止にはなるが、血液漏れを防止するためには常に十分に、確実に締め付ける必要がある。この締め付け操作を容易とするために、上記説明した如く翼状部５６、５７が設けられており、使用者が手により把持して力を加えやすくなっている。
【０００６】
【考案が解決しようとする課題】
ところが、ルアーコネクタの接続部分である雄ネジ５５や、体外循環体液処理器の接続口５１ａの雌ネジ５１ｂの形状、寸法についてはＩＳＯ規格が定められているものの、メーカーにより若干の寸法差があり、締め付けに大きな力が必要な場合がある。また雰囲気温度が低い場合には材料自体が堅くなり、締め付けるときに力を入れる必要がある。このため、透析施設などで多量の体外循環体液処理器を使用する場合、ルアーコネクタの接続作業に携わる人に対して大きな負荷となる場合があった。
【０００７】
上記した問題点に鑑み、本考案の目的は体外循環用血液回路のルアーコネクタと体外循環体液処理器の接続口（ルアーノズル）の着脱作業が、小さな力で、簡便かつ確実に行うことができるレンチを提供することにある。
【０００８】
【課題を解決するための手段】
上記課題を解決するために、本考案に係るルアーコネクタ用レンチは、管部材を案内する筒体と、前記筒体の一端に形成されたネジ部と、前記筒体の側面に対称に二つ設けられた翼状部とを備えたルアーコネクタを着脱するためのレンチであって、第一翼状部に係止されるフック部と、第二翼状部に当接する当接部と、前記フック部と当接部とを前記筒体を迂回して連結するアーム部と、前記アーム部に連結された把持部とを備えたことを特徴とする。これにより、上記構成を有するルアーコネクタを回転させる際に力を加えやすくなり、着脱作業を小さな力で、簡便かつ確実に行うことが可能となる。
【０００９】
また、前記アーム部は湾曲したアーチ状であって、前記アーム部の一端に前記フック部を備え、前記アーム部の他端に前記当接部を備え、該アーム部の他端にさらに前記把持部を連結していることが好ましい。上記ルアーコネクタ用レンチの具体的な構成の例であり、小型で製作の容易なレンチとすることができる。
【００１０】
また、本考案に係るルアーコネクタ用レンチは、平板状であることが好ましい。製作が容易だからである。また、金属または硬質プラスチックより形成することが好ましい。製作が容易であると共に、治具として必要な硬度を得ることができるからである。
【００１１】
【考案の実施の形態】
本考案に係るルアーコネクタ用レンチの実施形態について、図を用いて説明する。図１はレンチの斜視図、図２はレンチでルアーコネクタを操作する状態を示す斜視図である。上記従来技術と説明の重複する部分については、同一の符号を用いて説明を省略する。
【００１２】
図１に示すレンチ１は、フック部２、アーム部３、当接部４、把持部５をこの順に備えている。すなわち、アーム部３は湾曲したアーチ状であって、アーム部３の一端にフック部２を備え、アーム部３の他端に当接部４を備え、該アーム部の他端にさらに把持部５を連結した構造となっている。
【００１３】
図２は、レンチでルアーコネクタを操作する状態を示している。ルアーコネクタ５３は、まず使用者が手により把持して体液処理器５０の閉塞蓋５１の接続口５１ａに取り付け、少なくとも係止される程度までは接続口５１ａの雌ネジ５１ｂとルアーコネクタ５３の雄ネジ５５とを羅合させる。
【００１４】
そしてこれを増し締めするために、本考案に係るレンチ１を用いる。図に示すように、把持部５を使用者が手で握り（手は不図示）、ルアーコネクタ５３の一方の翼状部５６（第一翼状部）にフック部２を係止させ、他方の翼状部５７（第二翼状部）に当接部４が当接する方向に回転させる（矢印Ａ方向）。このときアーム部３はアーチ状となっているため、ルアーコネクタ５３の筒体５４を迂回している。
【００１５】
上記の如く用いることにより、小さな力でルアーコネクタ５３を回転させることができ、簡便かつ確実に体液処理器５０の接続口５１ａに取り付けることができる。すなわち、翼状部５６、５７はルアーコネクタ５３を手により回転させることを容易とするために設けられているものであるが、本考案に係るルアーコネクタ用レンチを用いれば、翼状部５６、５７を利用してさらに容易に回転させることが可能となる。なお、逆向きに係止、回転させることにより、ルアーコネクタを取り外す際にも小さな力で簡便に操作可能となることは言うまでもない。
【００１６】
なお、レンチ１は平板状であって、金属または硬質プラスチックを削り出しまたは型抜きによって製作している。製作が容易であると共に、治具として必要な硬度を得ることができるからである。しかし、断面円筒形の棒状部材を屈曲させて製作したり、金型により射出成形したり、把持部５に持ちやすいように太いハンドルを取り付けたりすることでも、本考案の作用および効果を得ることができる。
【００１７】
［他の実施形態］
上記実施形態においてレンチ１は、先端にフック部２を備え、後端側に把持部５を備えた構造として説明した。しかし本発明はこれに限定するものではなく、図３（ａ）に示すようにアーム部の略中央部に把持部５を連結したり、図３（ｂ）に示すようにフック部２の近傍に把持部５を連結することでも良い。
【００１８】
また、上記実施形態においてはアーム部３をアーチ状として説明したが、略コ字状の矩形としてもよい。
【００１９】
また図３（ｃ）に示すように、形状に差異のない２本の突出したレール部６ａ、６ｂを把持部５に連結した構造であっても、本考案に係るルアーコネクタ用レンチを構成することができる。この場合において、第一の翼状部５６に当接するレール部６ａがフック部となり、第二の翼状部５７に当接するレール部６ｂが当接部となる。なお、締め付ける時と緩める時で、レール部６ａ、６ｂのフック部、当接部の機能が逆転する。
【００２０】
【考案の効果】
本考案に係るルアーコネクタ用レンチによれば、体外循環用血液回路のルアーコネクタと体外循環体液処理器の接続口（ルアーノズル）の着脱作業が、小さな力で、簡便かつ確実に行うことができる。そのため、ルアーコネクタ装着作業に携わる人の負荷を大幅に軽減することができ、締め付け不足による体外循環中のコネクターのゆるみや外れによる血液漏れの発生を防ぎ、安全に体外循環療法を施行することができる。
【００２１】
特に前記アーム部は湾曲したアーチ状であって、前記アーム部の一端に前記フック部を備え、前記アーム部の他端に前記当接部を備え、該アーム部の他端にさらに前記把持部を連結し、また平板状の金属または硬質プラス知育より形成することにより、小型で製作の容易なレンチとすることができる。
【図面の簡単な説明】
【図１】レンチの斜視図である。
【図２】レンチでルアーコネクタを操作する状態を示す斜視図である。
【図３】レンチの他の構成を説明する図である。
【図４】従来のルアーコネクタによる接続構成について説明する図である。
【符号の説明】
１　　　　…レンチ
２　　　　…フック部
３　　　　…アーム部
４　　　　…当接部
５　　　　…把持部
６ａ、６ｂ　　…レール部
５０　　　　…体液処理器
５１　　　　…閉塞蓋
５１ａ　　…接続口
５１ｂ　　…雌ネジ
５２　　　　…チューブ
５３　　　　…ルアーコネクタ
５４　　　　…筒体
５５　　　　…雄ネジ
５６、５７　　　　…翼状部
【図１】
0003098546.tif 000003
【図２】
0003098546.tif 000004
【図３】
0003098546.tif 000005
【図４】
0003098546.tif 000006